(57)【特許請求の範囲】
【請求項１】
屋根の棟部に棟包みを設け、棟包みの内側にアンテナ接栓モジュールを配置して取り付け、アンテナ接栓モジュールに接続された屋内引き込みコードを棟部から屋根裏に通して配線すると共に、屋根に設置されるアンテナのアンテナケーブルが接続されるアンテナケーブル接続端子を、棟包みの外方から接続可能な位置においてアンテナ接栓モジュールに設け、
棟に沿って笠木を取り付けると共にこの笠木を覆って棟包みを設け、笠木を棟と平行な方向で所定間隔の隙間を隔てて配置し、アンテナ接栓モジュールを笠木と略同じ厚みに形成すると共に笠木間のこの隙間にアンテナ接栓モジュールを配置して成ることを特徴とするアンテナ配線用棟構造。
【請求項２】
アンテナ接栓モジュールに設けたアンテナケーブル接続端子を棟包みの外面に突出させて成ることを特徴とする請求項１に記載のアンテナ配線用棟構造。
【請求項３】
屋根の棟部に棟包みを設け、棟包みの内側にアンテナ接栓モジュールを配置して取り付け、アンテナ接栓モジュールに接続された屋内引き込みコードを棟部から屋根裏に通して配線すると共に、屋根に設置されるアンテナのアンテナケーブルが接続されるアンテナケーブル接続端子を、棟包みの外方から接続可能な位置においてアンテナ接栓モジュールに設け、
アンテナ接栓モジュールに軒方向に開口する凹所を設けて平面形状コ字形に形成し、凹所内においてアンテナ接栓モジュールにアンテナケーブル接続端子を設けて成ることを特徴とするアンテナ配線用棟構造。
【請求項４】
棟包みに、アンテナ接栓モジュールのアンテナケーブル接続端子を設けた部分を開口させる開口部を形成し、アンテナケーブル接続端子に接続するアンテナケーブルを通す部分を残して開口部をカバー材で覆って成ることを特徴とする請求項３に記載のアンテナ配線用棟構造。
【請求項５】
アンテナ接栓モジュールと補助部材とを屈曲角度可変に接続し、屋根の棟部の頂部を挟む一方の屋根面にアンテナ接栓モジュールを、他方の屋根面に補助部材を、それぞれ配置して成ることを特徴とする請求項３又は４に記載のアンテナ配線用棟構造。
【請求項６】
屋根の棟部に棟包みを設け、棟包みの内側にアンテナ接栓モジュールを配置して取り付け、アンテナ接栓モジュールに接続された屋内引き込みコードを棟部から屋根裏に通して配線すると共に、屋根に設置されるアンテナのアンテナケーブルが接続されるアンテナケーブル接続端子を、棟包みの外方から接続可能な位置においてアンテナ接栓モジュールに設け、
アンテナ接栓モジュールと補助部材とを屈曲角度可変に接続し、屋根の棟部の頂部を挟む一方の屋根面にアンテナ接栓モジュールを、他方の屋根面に補助部材を、それぞれ配置して成ることを特徴とするアンテナ配線用棟構造。
【請求項７】
棟に沿って笠木を取り付けると共にこの笠木を覆って棟包みを設け、笠木を棟と平行な方向で所定間隔の隙間を隔てて配置し、アンテナ接栓モジュールを笠木と略同じ厚みに形成すると共に笠木間のこの隙間にアンテナ接栓モジュールを配置して成ることを特徴とする請求項３乃至６のいずれか１項に記載のアンテナ配線用棟構造。
【請求項８】
棟包みの軒側に向く側面の側から、アンテナケーブル接続端子にアンテナケーブルを接続するようにして成ることを特徴とする請求項１乃至７のいずれか１項に記載のアンテナ配線用棟構造。
【発明の詳細な説明】
【技術分野】
【０００１】
本発明は、住宅の屋根などにおけるアンテナ配線用棟構造に関するものである。
【背景技術】
【０００２】
アンテナを屋根に設置するにあたって、アンテナに接続されたアンテナコードは、屋根、外壁、軒天井などに穴をあけて、この穴から屋内に引き込むようにするのが一般的である。しかしこの場合、穴あけという特別な作業が必要となって工事が煩雑になり、また防水性にも問題が生じる。
【０００３】
このため、例えば特許文献１には、屋根の棟部に基台を設け、アンテナの支柱を支持する支柱取付筒をこの基台の上に取り付けるようにしたものが提案されている。このものでは、支柱取付筒にアンテナの支柱を差し込んでアンテナを立て、そしてアンテナに接続されたアンテナコードを支柱取付筒と基台を通して屋根裏に引き込むことができるようにしてあり、アンテナコードを屋内に引き込むための穴あけを行なう必要がなくなるものである。
【特許文献１】実用新案登録第３０３１９６１号公報
【発明の開示】
【発明が解決しようとする課題】
【０００４】
しかし上記の特許文献１のものでは、屋根の棟部に支柱取付筒という異部材が大きく突出するために、屋根の外観を損なうという問題があり、またアンテナの設置箇所が支柱取付筒を設けた場所に限定されてしまうという問題があった。
【０００５】
本発明は上記の点に鑑みてなされたものであり、屋根の外観を損なうことがないと共にアンテナの設置箇所が限定されることがなく、またアンテナの接続を容易に行なうことができるアンテナ配線用棟構造を提供することを目的とするものである。
【課題を解決するための手段】
【０００６】
本発明に係るアンテナ配線用棟構造は、屋根の棟部に棟包み１を設け、棟包み１の内側にアンテナ接栓モジュール２を配置して取り付け、アンテナ接栓モジュール２に接続された屋内引き込みコード３を棟部から屋根裏４に通して配線すると共に、屋根に設置されるアンテナのアンテナケーブルが接続されるアンテナケーブル接続端子５を、棟包み１の外方から接続可能な位置においてアンテナ接栓モジュール２に設けて成ることを特徴とするものである。
そして、第１の発明は、棟に沿って笠木６を取り付けると共にこの笠木６を覆って棟包み１を設け、笠木６を棟と平行な方向で所定間隔の隙間を隔てて配置し、アンテナ接栓モジュール２を笠木６と略同じ厚みに形成すると共に笠木６間のこの隙間にアンテナ接栓モジュール２を配置して成ることを特徴とするものである。
【０００７】
この発明によれば、棟包み１内に設けたアンテナ接栓モジュール２のアンテナケーブル接続端子５にアンテナケーブルを接続することによって、屋根に設置されるアンテナの接続を容易に行なうことができ、またアンテナの設置箇所が限定されることもないものであり、さらにアンテナ接栓モジュール２は棟包み１に覆われて外部に露出しないものであって、屋根の外観を損なうようなこともないものである。
【０００９】
この発明によれば、棟包み１を補強する笠木６の一部としてアンテナ接栓モジュール２を利用することができるものである。
【００１０】
また第１の発明における更なる発明は、アンテナ接栓モジュール２に設けたアンテナケーブル接続端子５を棟包み１の外面に突出させて成ることを特徴とするものである。
【００１１】
この発明によれば、棟包み１の外面に突出しているアンテナケーブル接続端子５にアンテナケーブルを接続する作業を容易に行なうことができるものである。
【００１２】
また第２の発明は、アンテナ接栓モジュール２に軒方向に開口する凹所７を設けて平面形状コ字形に形成し、凹所７内においてアンテナ接栓モジュール２にアンテナケーブル接続端子５を設けて成ることを特徴とするものである。
【００１３】
この発明によれば、アンテナケーブル接続端子５を凹所７内の引っ込んだ位置に配置することができ、雨水がアンテナケーブル接続端子５に作用することを低減することができるものである。
【００１４】
また第２の発明における更なる発明は、棟包み１に、アンテナ接栓モジュール２のアンテナケーブル接続端子５を設けた部分を開口させる開口部８を形成し、アンテナケーブル接続端子５に接続するアンテナケーブルを通す部分を残して開口部８をカバー材９で覆って成ることを特徴とするものである。
【００１５】
この発明によれば、アンテナケーブル接続端子５にアンテナケーブルを接続する作業を開口部８を通して容易に行なうことができると共に、接続作業を終えたあとはカバー材９で覆って防水性を確保することができるものである。
【００１６】
また上記第１、２の発明及び下記第３の発明の更なる発明は、棟包み１の軒側に向く側面の側から、アンテナケーブル接続端子５にアンテナケーブルを接続するようにして成ることを特徴とするものである。
【００１７】
この発明によれば、屋根に設置したアンテナのケーブルを屋根面に沿わせた状態でアンテナケーブル接続端子５に接続することができるものであり、アンテナケーブルが目立つことを防ぐことができるものである。
【００１８】
また第３の発明は、アンテナ接栓モジュール２と補助部材１０とを屈曲角度可変に接続し、屋根の棟部の頂部を挟む一方の屋根面にアンテナ接栓モジュール２を、他方の屋根面に補助部材１０を、それぞれ配置して成ることを特徴とするものである。
【００１９】
この発明によれば、屋根の軒部の頂部を跨がせてアンテナ接栓モジュール２と補助部材１０を配置することによって、アンテナ接栓モジュール２の取り付けを容易に行なうことができ、またアンテナ接栓モジュール２と補助部材１０の角度を調整することによって、任意の傾斜角度の棟部に対応することができるものである。
【発明の効果】
【００２０】
本発明によれば、棟包み１内に設けたアンテナ接栓モジュール２のアンテナケーブル接続端子５にアンテナケーブルを接続することによって、屋根に設置されるアンテナの接続を容易に行なうことができ、またアンテナの設置箇所が限定されることもないものであり、さらにアンテナ接栓モジュール２は棟包み１に覆われて外部に露出しないものであって、屋根の外観を損なうようなこともないものである。
【発明を実施するための最良の形態】
【００２１】
以下、本発明を実施するための最良の形態を説明する。
【００２２】
図１は本発明の実施の形態の一例を示すものであり、左右の垂木１６の対向する一端を棟木１５の上に固定し、各垂木１６の上に野地板１７を張って取り付けると共に、野地板１７の上に防水シートからなる下葺材１８を介して屋根材１９を葺設することによって、屋根の棟部が形成してある。
【００２３】
アンテナ接栓モジュール２は、扁平な直方体のケーシング２０内に混合機、ブースターなどの機器や、電源コード（ＡＣ及びＤＣ）を内蔵して形成されるものであり、図２に示すように対向する一方の側面にアンテナ出力接栓などで形成される一つの引き込みコード接続端子２１が、他方の側面にアンテナＦ型接栓などで形成される一対のアンテナケーブル接続端子５が、それぞれ外方へ突出させて設けてある。一対のアンテナケーブル接続端子５は、例えば一方をＶＨＦ用、他方をＵＨＦ用などとすることができるものである。またアンテナ接栓モジュール２のケーシング２０は、ＡＢＳやＰＰなどのプラスチック類、アルミニウム合金などの金属類、その他任意の材料で形成されるものである。
【００２４】
棟包み１は金属板を折曲加工して形成されるものであり、断面逆Ｖ字形の本体片２３の両側端に下方へ側片２４を垂下して設けると共に、各側片２４の下端に外方へ接地片２５を延設した形状に形成されるものである。
【００２５】
そしてアンテナ接栓モジュール２を組み込んだ状態で棟包み１を屋根の棟部に取り付けるにあたっては、まず棟を挟む両側の屋根材１９の各棟側上端の上に笠木６を取り付ける。この笠木６は木質板や人工木材などで形成されるものであり、笠木６の固定は釘などを屋根材１９を通して野地板１７に打ち付けることによって行なうことができる。このとき、アンテナ接栓モジュール２を取り付ける箇所には笠木６は取り付けないものであり、この笠木６を取り付けていない箇所において、屋根材１９の上にアンテナ接栓モジュール２を載置し、アンテナ接栓モジュール２から釘などを屋根材１９を通して野地板１７に打ち付けることによって、アンテナ接栓モジュール２を固定する。アンテナ接栓モジュール２はアンテナケーブル接続端子５が軒側を向くように配置されるものであり、またこのようにアンテナ接栓モジュール２を取り付ける際に、アンテナ接栓モジュール２の引き込みコード接続端子２１に接続した屋内引き込みコード３は棟の上端を通して野地板１７の下側の屋根裏４に引き込んで配線をするものである。屋内引き込みコード３の屋根裏４への引き込みは、棟の上端において両側の野地板１７の上端間に隙間２７が形成されているときには、この隙間２７を通して行なうことができ、このような隙間２７がないときには野地板１７に穴を加工して、この穴に通すようにすればよい。
【００２６】
この後に、笠木６及びアンテナ接栓モジュール２を覆うように棟包み１を被せ、棟包み２の側片２４から笠木６に釘などの固着具２８を打ち込むことによって、棟包み１を固定する。このとき、棟包み１の側片２４には孔が設けてあって、この孔を通してアンテナ接栓モジュール２のアンテナケーブル接続端子５が棟包み１の側片２４から突出するようにしてある。
【００２７】
上記のようにして、棟包み１内にアンテナ接栓モジュール２を設けたアンテナ配線用の棟が形成されるものであり、屋根に設置したアンテナのアンテナケーブルを、アンテナ接栓モジュール２の棟包み１から露出するアンテナケーブル接続端子５に接続することによって、アンテナ接栓モジュール２に内蔵した機器を介して、屋内引き込みコード３に電気的に接続することができるものである。このように、アンテナはアンテナケーブルを棟包み１に設けたアンテナ接栓モジュール２のアンテナケーブル接続端子５に接続するようにしているので、アンテナを設置する箇所は限定されないものであり、必要に応じた任意の箇所において屋根にアンテナを設置することが可能になるものである。またアンテナ接栓モジュール２のアンテナケーブル接続端子５は棟包み１の側片２４に設けるようにしてあるので、屋根面と平行にアンテナケーブルを接続することできるものであり、屋根面に沿わせたアンテナケーブルを立ち上がらせたりする必要なくアンテナケーブル接続端子５に接続することができ、屋根面上のアンテナケーブルが目立つようなことがなくなるものである。そして、アンテナ接栓モジュール２は屋根の棟を形成する棟包み１内に設けてあって、外部に露出するものではないので、アンテナ接栓モジュール２で屋根の外観を損ねることはないものである。
【００２８】
ここで、上記の図１，２の実施の形態では、棟包み１とアンテナ接栓モジュール２を別々に取り付けるようにしたが、図３に示すように、アンテナ接栓モジュール２を棟包み１に一体化しておいてもよい。すなわち、アンテナＦ型接栓で形成される筒状のアンテナケーブル接続端子５の外周には雄ネジ３０が形成されているので、棟包み１の側片２４に孔を設けておき、この側片２４の側の本体部２３の半分の位置において棟包み１内にアンテナ接栓モジュール２を配置すると共にアンテナケーブル接続端子５を側片２４のこの孔から突出させ、アンテナケーブル接続端子５の雄ネジ３０にナット３１を螺合させて、ナット３１とアンテナ接栓モジュール２で側片２４を挟持させることによって、アンテナ接栓モジュール２を棟包み１内に一体化することができるものである。
【００２９】
次に、この棟包み１にアンテナ接栓モジュール２を一体化したものを用いた施工を、図４に基づいて説明する。ここで、アンテナ接栓モジュール２のケーシング２０はその厚み寸法と幅寸法を笠木６とほぼ同じ寸法に形成してあり、またアンテナ接栓モジュール２と一体化される棟包み１の棟と平行な方向の寸法はアンテナ接栓モジュール２よりも長めに形成し、両端部においてアンテナ接栓モジュール２よりも棟包み１が張り出すようにしてある。
【００３０】
そしてまず、必要に応じて、アンテナ接栓モジュール２を取り付ける箇所において野地板１７の棟側上端に屋内引き込みコード３を通すための穴をあける。この穴は直径２０ｍｍ程度のものでよい。そして屋根材１９を葺く施工を行なったのち、笠木６を取り付ける。笠木６は棟と平行な方向でアンテナ接栓モジュール２の寸法とほぼ同じ間隔の隙間３３を隔てて配置されるものである。次に、隙間３３の箇所を除いて、笠木６の上にそれぞれ棟包み１を被せて取り付ける。この棟包み１ａはアンテナ接栓モジュール２と一体化した上記の棟包み１ｂとは別ものである。この後、笠木６の隙間３３の箇所にアンテナ接栓モジュール２をはめ込むようにして、アンテナ接栓モジュール２と一体化した棟包み１ｂを被せ、この棟包み１ｂの両端部を先に取り付けた棟包み１ａの端部の上に重ねて取り付ける。棟包み１ｂの固定は、棟包み１ａにビスなどの固着具３４を打ち込むことによって行なうことができる。このようにして、棟包み１内にアンテナ接栓モジュール２を設けたアンテナ配線用の棟を施工することができるものである。
【００３１】
図５は本発明の他の実施の形態を示すものであり、この実施の形態では、図６に示すようなアンテナ接栓モジュール２を用いるものである。このアンテナ接栓モジュール２は、ケーシング２０を軒側及び上下に開口する凹所７を設けて平面形状が略コ字形に形成してあり、この凹所７内において軒側を向く面にアンテナケーブル接続端子５が設けてある。このように凹所７内にアンテナケーブル接続端子５を設けることによって、雨水がアンテナケーブル接続端子５に作用することを低減することができるものである。
【００３２】
このアンテナ接栓モジュール２を用いて上記と同様にしてアンテナ配線用の棟を施工することができるが、凹所７を有するこのアンテナ接栓モジュール２を用いる際には、アンテナ接栓モジュール２の上に被せる棟包み１として、図７に示すように、アンテナ接栓モジュール２の凹所７に対応する箇所において開口部８を本体片２３から側片２４、接地片２５に至るように設けたものを用いるのが好ましい。
【００３３】
このようにアンテナ接栓モジュール２の凹所７に対応する箇所において開口部８を設けた棟包み１を用いることによって、棟包み１の開口部８を通してアンテナ接栓モジュール２のアンテナケーブル接続端子５にアンテナケーブルを直接接続することができるものであり、凹所７という奥まった箇所にあるアンテナケーブル接続端子５へのアンテナケーブルの接続が容易になるものである。
【００３４】
またこのように開口部８を設けた棟包み１を用いる場合、図７のようにこの棟包み１の上にカバー材９を被せて取り付け、開口部８をカバー材９で覆うことによって、雨水が開口部８から棟包み１内に浸入することを防ぐようにしてある。カバー材９は棟包み１と同じ本体片３６、側片３７、接地片３８を備え、棟包み１と同じ形状に形成されるものであり、側片３７と接地片３８には開口部３９を設けて、アンテナ接栓モジュール２のアンテナケーブル接続端子５に接続したアンテナケーブルをこの開口部３９に通すことができるようにしてある。カバー片９の固定は図５に示すように、カバー材９の側片３７から棟包み１の側片２４を通して固着具２８を笠木６に打ち込み、またカバー材９の側片３７と棟包み１の側片２４に固着具３４を打ち込むことによって、行なうことができる。このものにあって、固着具２８及び固着具３４を外してカバー材９を取り外すことによって、棟包み１の開口部８を通してアンテナ接栓モジュール２の凹所７を露出させることができ、凹所７内のアンテナケーブル接続端子５にアンテナケーブルを容易に接続することができるようにしてある。そしてアンテナケーブル接続端子５に接続したアンテナケーブルを開口部３９に通した状態で、カバー材９を取り付けることによって、アンテナ接栓モジュール２の凹所７をカバー材９で覆い、アンテナケーブル接続端子５に雨水が浸入して作用することを防ぐことができるものである。
【００３５】
図８は本発明の他の実施の形態を示すものであり、この実施の形態では、図９に示すようなアンテナ接栓モジュール２を用いるものである。このアンテナ接栓モジュール２は補助部材１０と屈曲角度可変に接続してある。補助部材１０としては笠木６と同じ木質板などで形成したものを用いることができるものであり、アンテナ接栓モジュール２と同じ厚みであり、またアンテナ接栓モジュール２と平面の輪郭と同じ矩形状のものを用いるものである。
【００３６】
図９（ａ）の実施の形態では、中央部が屈曲自在となった可変プレート４１を用い、可変プレート４１の一側端部と他側端部の下面にそれぞれアンテナ接栓モジュール２と補助部材１０を取り付けるようにしてあり、可変プレート４１の屈曲角度を調整することによって、アンテナ接栓モジュール２と補助部材１０の角度を調整することができるようにしてある。この可変プレート４１としては、金属板や、ゴム・プラスチックの板などで形成することができ、さらに上記の下葺材１８として使用される防水シートで形成することもできる。また図９（ｂ）の実施の形態では、アンテナ接栓モジュール２と補助部材１０の側端同士を直接突き合わせて、ヒンジ等で接合することによって、屈曲角度可変に接続するようにしてある。このものではアンテナ接栓モジュール２と補助部材１０の対向する側面を切欠して傾斜面に形成してあり、アンテナ接栓モジュール２と補助部材１０の上面端部同士を屈曲角度可変に接続するようにしてある。これは図９（ｃ）に示すように、アンテナ接栓モジュール２と補助部材１０の下面端部同士を接続する場合、アンテナ接栓モジュール２の上面と補助部材１０の上面の延長面が交差する部分が頂点になるが、アンテナ接栓モジュール２の傾斜の下端からこの頂点までの距離（Ｘ、Ｘ´）は、屋根勾配に応じてアンテナ接栓モジュール２と補助部材１０のなす角度が変わると、変化することになり、棟包み１の寸法と合わなくなるおそれがある。このために、アンテナ接栓モジュール２と補助部材１０の上面端部同士を接続するようにしているのである。
【００３７】
このように補助部材１０と屈曲角度可変に接続したアンテナ接栓モジュール２を屋根の棟部に取り付けるにあたっては、上記と同様にして、アンテナ接栓モジュール２と補助部材１０を配置する箇所に隙間３３が形成されるように笠木６を取り付けた後、笠木６間のこの隙間３３にアンテナ接栓モジュール２と補助部材１０をはめ込むように配置することによって行なうことができるものである。このものでは、屋根の軒部の頂部を跨がせてアンテナ接栓モジュール２と補助部材１０を配置することによって、位置決めした状態でアンテナ接栓モジュール２を配置することができるものであり、アンテナ接栓モジュール２の取り付けを容易に行なうことができるものである。また棟部の両側の屋根面の傾斜角度は屋根によって異なるが、アンテナ接栓モジュール２と補助部材１０の屈曲角度を調整することによって、任意の傾斜角度に対応することができるものである。
【００３８】
補助部材１０と屈曲角度可変に接続したアンテナ接栓モジュール２として、図９のように凹所７を設けて平面コ字形に形成したものを用いる場合は、図１０に示すように、既述の図７の場合と同様に、開口部８を設けた棟包み１を用い、また棟包み１の上にカバー材９を被せて取り付けて開口部８をカバー材９で覆うようにするものである。
【００３９】
図１１に、補助部材１０と屈曲角度可変に接続したアンテナ接栓モジュール２として図９（ｂ）に示すものを用いた場合の施工の一例を示す。
【００４０】
まず必要に応じて、アンテナ接栓モジュール２を取り付ける箇所において野地板１７の棟側上端に屋内引き込みコード３を通すための穴をあける。そして屋根材１９を葺く施工を行なったのち、棟の両側にそれぞれ笠木６を取り付ける。笠木６は棟と平行な方向でアンテナ接栓モジュール２の寸法や補助部材１０の寸法とほぼ同じ間隔の隙間３３を隔てて配置されるものである。次に、これらの隙間３３の箇所を除いて、笠木６の上にそれぞれ棟包み１を被せて取り付ける。この後、笠木６の隙間３３の箇所にアンテナ接栓モジュール２と補助部材１０をはめ込んで取り付ける。アンテナ接栓モジュール２の固定は、アンテナ接栓モジュール２に設けた通孔４３に釘などの固着具４４を通して屋根材１９から野地板１７に打ち付けることによって行なうことができる。この後に、アンテナ接栓モジュール２と補助部材１０に棟包み１を被せ、先に笠木６の上に取り付けた棟包み１ａの端部の上に、アンテナ接栓モジュール２と補助部材１０に被せた棟包み１ｂの両端部を重ねる。このアンテナ接栓モジュール２と補助部材１０に被せる棟包み１ｂとしては、アンテナ接栓モジュール２の凹所７に対応する位置において側片２４から接地片２５にかけて開口部８を設けたものを用いるものであり、またこの棟包み１ｂの側片２４から棟包み１ａの側片２４にビスなどの固着具３４を打つことによって、棟包み１ｂの固定を行なうようにしてある。このようにして、棟包み１内にアンテナ接栓モジュール２を設けたアンテナ配線用の棟を施工することができるものである。
【００４１】
このものにあって、アンテナ接栓モジュール２を覆う棟包み１ｂは、固着具３４を外すことによって容易に取り外すことができるものであり、棟包み１ｂを取り外してアンテナ接栓モジュール２の凹所７を露出させた状態で、凹所７内のアンテナケーブル接続端子５にアンテナケーブルを容易に接続することができるようにしてある。そしてアンテナケーブル接続端子５に接続したアンテナケーブルを開口部８に通した状態で、棟包み１ｂを取り付けることによって、アンテナ接栓モジュール２の凹所７を棟包み１ｂで覆い、凹所７に雨水が浸入してアンテナケーブル接続端子５に雨水が作用することを防ぐことができるものである。
【００４２】
上記の各アンテナ接栓モジュール２の下面には、図１２や図１３に示すように、アンテナケーブル接続端子５を囲むように防水パッキン、防水シーラー、シーリングなどの防水材４５が取り付けてあり、防水性を確保するようにしてある。
【００４３】
また、上記各アンテナ接栓モジュール２は笠木６とほぼ同じ厚みに形成してあり、棟包み２を下から支えて補強する笠木６と同様に、アンテナ接栓モジュール２によっても棟包み２を下から支えて補強することができるものであり、アンテナ接栓モジュール２を笠木１の一部をなすものとして利用することができるものである。
【００４４】
尚、上記の各実施の形態では、棟の両側に屋根面がある両流れの屋根について説明したが、図１４に示すように、片流れの屋根において棟部に設けられる棟包み１内にアンテナ接栓モジュール２を設けるようにすることができるものである。図１４において４７は棟木１５に取り付けられた破風板、４８は棟包み１の一側端部を棟木１５に固着具４４で固定する取付金具、４９は棟包み１の他側端部を野地板１７に固着具４４で固定する取付金具である。
【図面の簡単な説明】
【００４５】
【図１】本発明の実施の形態の一例の断面図である。
【図２】同上のアンテナ接栓モジュールの斜視図である。
【図３】同上の棟包みと一体化したアンテナ接栓モジュールの斜視図である。
【図４】同上の分解斜視図である。
【図５】本発明の実施の形態の他の一例の断面図である。
【図６】同上のアンテナ接栓モジュールの斜視図である。
【図７】同上のアンテナ接栓モジュールと棟包みとカバー材の斜視図である。
【図８】本発明の実施の形態の他の一例の断面図である。
【図９】同上のアンテナ接栓モジュールを示すものであり、（ａ）（ｂ）は斜視図であり、（ｃ）は比較説明のための概略図である。
【図１０】同上のアンテナ接栓モジュールと棟包みとカバー材の斜視図である。
【図１１】同上の分解斜視図である。
【図１２】本発明で用いるアンテナ接栓モジュールの一例を示すものであり、（ａ）は表側の斜視図、（ｂ）は裏側の斜視図である。
【図１３】本発明で用いるアンテナ接栓モジュールの一例を示すものであり、（ａ）は表側の斜視図、（ｂ）は裏側の斜視図である。
【図１４】片流れ屋根における実施の形態を示す断面図である。
【符号の説明】
【００４６】
１  棟包み
２  アンテナ接栓モジュール
３  屋内引き込みコード
４  屋根裏
５  アンテナケーブル接続端子
６  笠木
７  凹所
８  開口部
９  カバー材
１０  補助部材
【図１】
0005227050.tif 000002
【図２】
0005227050.tif 000003
【図３】
0005227050.tif 000004
【図４】
0005227050.tif 000005
【図５】
0005227050.tif 000006
【図６】
0005227050.tif 000007
【図７】
0005227050.tif 000008
【図８】
0005227050.tif 000009
【図９】
0005227050.tif 000010
【図１０】
0005227050.tif 000011
【図１１】
0005227050.tif 000012
【図１２】
0005227050.tif 000013
【図１３】
0005227050.tif 000014
【図１４】
0005227050.tif 000015